(57)【要約】      （修正有）【課題】ペット用トイレの清掃作業を容易かつ衛生的に行うための篩（ふるい）を提供する。【解決手段】ペットの糞を付着させる粒状物Ｐを収容する深皿状容器であるとともに、底にペットの糞が付着していない清浄な前記粒状物が通過可能であるふるい部１０１を有し、前記粒状物が通過不能であるとともに前記ペットの尿が通過可能である複数の通水孔１２を形成したペット用トイレの容器１０の上に重ねて用いられ、清掃時に前記篩を持ち上げてふるうことで清浄な前記粒状物を前記ふるい部から前記容器に落下させ、ペットの糞と糞に付着した前記粒状物のみを取り出して廃棄可能とした。【選択図】図３
0003224824.tif 000002
【実用新案登録請求の範囲】
【請求項１】
犬・猫を含むペット用トイレに用いる篩であって、
ペットの糞を付着させる粒状物を収容する深皿状容器であるとともに、底にペットの糞が付着していない清浄な前記粒状物が通過可能であるふるい部を有し、
前記粒状物が通過不能であるとともに前記ペットの尿が通過可能である複数の通水孔を形成した前記ペット用トイレの容器の上に重ねて用いられ、
清掃時に前記篩を持ち上げてふるうことで清浄な前記粒状物を前記ふるい部から前記容器に落下させ、前記ペットの糞と前記糞に付着した前記粒状物のみを取り出して廃棄可能としたことを特徴とするペット用トイレに用いる篩。
【請求項２】
前記篩は、前記ふるい部に隣接して溝部が形成されており、
清掃時に前記篩を持ち上げてふるった後に傾けた際、前記溝部にペットの糞と前記糞に付着した前記粒状物が収容されることを特徴とする請求項１記載のペット用トイレに用いる篩。
【請求項３】
前記篩の縁に、袋を着脱可能に取り付ける取付部が形成され、
前記篩を持ち上げてふるった後、ペットの糞と糞に付着した前記粒状物を前記取付部に取り付けた袋内に落下させることを特徴とする請求項１または２記載のペット用トイレに用いる篩。
【考案の詳細な説明】
【技術分野】
【０００１】
本考案は、清掃時の作業を容易かつ衛生的にすることを目標とするペット用トイレに用いる篩（ふるい）に関する。
【背景技術】
【０００２】
現在わが国では犬や猫などのペットの数が子供の数を上回ったともいわれ、ペットを家族同然に飼育する人も多く、都市部では住宅環境などの都合からペットを屋内で飼育することが多く、特に猫は屋内で飼育することが一般的である。
【０００３】
そしてペットの屋内飼育では、排泄物の処理が問題となるが、近時、夫婦共働きが増加し、忙しい日常生活の中で、飼い主からは、ペットの排泄物を手を汚すことなく、簡単に廃棄できることが強く求められている。
【０００４】
そこで、ペットが排泄するためのペット用トイレを用いることが広く知られており、ペット用トイレには、特に猫の場合、排泄後に、排泄物に砂をかけて隠そうとする習性があるため、「猫砂」ともいわれるトイレ用の粒状物を収容して、その上に排泄をさせるものがよく使用され、粒状物には、細かい粒や、やや大きめの球状（図９（ａ）参照）、ペレット状（図９（ｂ）参照）などに成形されたものなどがある。
【０００５】
前記ペット用トイレは、大別すると、単純な１層式のものと、液体だけが下層に落下するようにした２層式のものが存在し、前記２層式のペット用トイレは、図１０に示すように、前記粒状物を敷き詰めた便受け用の上層部の通孔から落下する尿を尿受け用の下層部の吸水性シートで吸水する構成としたもので、前記粒状物は尿を吸収する必要がないことから比較的少量で長く使用可能とするとともに、清掃も比較的容易であるとされ、近年特に人気を博している。
【０００６】
具体的な清掃手段としては、糞と糞に付着した粒状物の塊を、図１１で示すような穴あきスコップを用いて一つ一つ掬い上げ、清浄な粒状物はふるい落とし、糞と糞に付着した粒状物のみを廃棄する（また、その後新しい粒状物を補充する）ものである。
【０００７】
この際、糞をするたびにまめに掬い取れば比較的容易であるとも言えるが、近時は共働きや高齢でも働く者が多いこともあり、長時間家人が不在であることなどにより、清掃の間隔が開いてしまって糞が多数残っている場合には、何度も糞を探して穴あきスコップで掬い上げる必要があり、煩雑であるばかりか、清掃中に糞が手に付着するおそれのある不衛生な作業となる。
【０００８】
これに対し、例えば実登第３１０３９１９号（特許文献１）に示すような、ふるい落とし作業を効率化できるスコップが知られているが、前記図１１で示すような従来の穴あきスコップの延長線上にあるものであって、多少効率を向上させられたとしても煩雑で不衛生であることに変わりはない。
【０００９】
そこで、ペット用トイレの清掃作業を容易かつ衛生的にすることのできる解決手段が求められていた。
【先行技術文献】
【特許文献】
【００１０】
【特許文献１】実登第３１０３９１９号公報
【考案の概要】
【考案が解決しようとする課題】
【００１１】
本考案は、ペット用トイレの清掃作業を容易かつ衛生的に行うための篩（ふるい）を提供することを課題とする。
【課題を解決するための手段】
【００１２】
上記課題を解決するためになされた本考案であるペット用トイレに用いる篩は、犬・猫を含むペット用トイレに用いる篩であって、
ペットの糞を付着させる粒状物を収容する深皿状容器であるとともに、底にペットの糞が付着していない清浄な前記粒状物が通過可能であるふるい部を有し、
前記粒状物が通過不能であるとともに前記ペットの尿が通過可能である複数の通水孔を形成した前記ペット用トイレの容器の上に重ねて用いられ、
清掃時に前記篩を持ち上げてふるうことで清浄な前記粒状物を前記ふるい部から前記容器に落下させ、ペットの糞と糞に付着した前記粒状物のみを取り出して廃棄可能としたことを特徴とする。
【００１３】
また、前記篩は、前記ふるい部に隣接して溝部が形成されており、
清掃時に前記篩を持ち上げてふるった後に傾けた際、前記溝部にペットの糞と糞に付着した前記粒状物が収容されることを特徴とする場合、例えば飼い主がお年寄りなど繊細な清掃作業が困難な者であっても、前記篩を持ち上げてふるった後傾けるだけで、前記ペットの糞と糞に付着した前記粒状物を外部に落とすことなく確実に集めることができるため、作業が非常に効率的で容易となる。
【００１４】
更に、前記篩の縁に、袋を着脱可能に取り付ける取付部が形成され、
前記篩を持ち上げてふるった後、ペットの糞と糞に付着した前記粒状物を前記取付部に取り付けた袋内に落下させることを特徴とする場合、予め取り付けた袋内に前記ペットの糞に付着した前記粒状物を落下させることで、袋を誰かに広げてもらうなどの補助を要することなく単独で清掃作業が可能であり、且つ非常に衛生的に作業することができる。
【考案の効果】
【００１５】
本考案のペット用トイレに用いる篩によれば、深皿状容器であって底にふるい部を有しており、市販のペット用トイレの容器に予め被せておくことにより、清掃時には前記篩を持ち上げてふるうだけで、前記ふるい部上に敷き詰めた粒状物を、清浄な粒状物とペットの糞および糞に付着した粒状物とに分別して廃棄することが可能となるため、ペット用トイレの清掃作業を容易かつ衛生的に行うことができる。
【図面の簡単な説明】
【００１６】
【図１】本考案であるペット用トイレに用いる篩の好ましい実施の形態を示す斜視図。
【図２】前記図１に示した前記篩の使用状態を示す斜視図。
【図３】前記図２の分解斜視図。
【図４】前記図１に示した前記篩の使用過程を示す説明図であり、（ａ）は清掃前の状態、（ｂ）は清掃時に前記篩をふるっている状態、（ｃ）は第１容器に落下した清浄な粒状物を前記篩に戻している状態、（ｄ）は清掃後の状態を示す図。
【図５】本考案であるペット用トイレに用いる篩の異なる実施の形態を示す斜視図。
【図６】前記図５に示した前記篩の使用状態を示す説明図。
【図７】本考案であるペット用トイレに用いる篩の更に異なる実施の形態を示す斜視図。
【図８】前記図７に示した前記篩の使用状態を示す説明図。
【図９】従来のペット用トイレに用いられる粒状物を示す図であり、（ａ）は球状の粒状物、（ｂ）はペレット状の粒状物を示す斜視図。
【図１０】従来のペット用トイレを示す斜視図。
【図１１】従来のペット用トイレの清掃時に用いられる穴あきスコップを示す斜視図。
【考案を実施するための形態】
【００１７】
以下、図面に基づいて本考案の好ましい実施の形態について説明する。尚、以降の説明において、ペットは猫であるものとする。
【００１８】
図１は本考案であるペット用トイレに用いる篩（ふるい）の好ましい実施の形態を示す斜視図である。
篩１００は、方形の深皿状容器であるとともに、底面に複数の通孔１０２を形成したふるい部１０１を有する。
【００１９】
前記通孔１０２は、前記図１１に示した従来の穴あきスコップに形成された穴と同様に、前記ペットの糞が付着していない清浄な粒状物ＣＰが通過可能であって、前記ペットの糞が付着して塊になった粒状物ＤＰは通過不能な形状に形成されている。
【００２０】
尚、清浄な粒状物ＣＰとは、糞に付着して塊となった粒状物でない、ばらばらの状態の粒状物を意味し、わずかな尿や糞が付着している可能性はある。
【００２１】
前記通孔１０２は、本実施の形態においては長円形に形成されているが、前記粒状物Ｐが通過可能な形状であればその形態を問わず、前記篩１００を成形するための金型によって予め所定形状の孔を形成したもの、或いはパンチメタルのように打ち抜きによって形成するものなど、従来周知のいかなる方法によって形成されるものであってもよい。
【００２２】
図２は前記篩１００の使用状態を示す斜視図である。
この図に示すように、前記篩１００は、前記図１０に示したような既存の２層式のペット用トイレ１に被せ、その上に猫砂としてペレット状（前記図９（ｂ）参照）に成形された粒状物Ｐを敷き詰めて使用するものである。
【００２３】
前記２層式のペット用トイレ１の構成を詳細に説明すると、前記ペットの糞を付着させる粒状物Ｐを収容する便受け部１１、および前記粒状物Ｐが通過不能且つ前記ペットの尿が通過可能な複数の通水孔１２、を形成した第１容器１０と、前記第１容器１０の下方に位置し、前記通水孔１２から落下した前記ペットの尿を吸収する吸水体Ｓを収容する尿受け部２１を形成した第２容器２０と、前記第１容器１０および前記第２容器２０を取り付け可能なケース体３０と、からなる（図３参照）。
【００２４】
前記第１容器１０に形成された前記通水孔１２は、前記粒状物Ｐが通過不能且つペットの尿である液体が通過可能な形状であればその形態を問わず、網状の部材を用いるもの、パンチメタルのように打ち抜きによって形成するもの、或いは金型によって予め所定形状の孔を形成したものなど、従来周知のいかなる方法によって形成されるものであってもよい。
【００２５】
図４は前記篩の使用過程を示す説明である。
まず、図４（ａ）は前記ペットが前記図２に示した前記篩１００を備えた前記２層式のペット用トイレ１で排泄をした後、清掃前の状態を示す図である。
【００２６】
前記ペットが排泄した尿は、前記篩１００の通孔１０２および前記第１容器１０の通水孔１２を通過して、前記第２容器２０に収容されたペットシーツである前記吸水体Ｓに吸収されており、前記ペットが排泄した糞は、前記ペットが排泄した後に前記ペットが行ういわゆる砂かけなどにより前記ペットの糞と前記ふるい部１０１の上に敷き詰めた前記粒状物Ｐがくっつき、塊になっている。
【００２７】
次に、図４（ｂ）は清掃時に前記篩１００をふるっている状態を示す図である。
飼い主が前記２層式のペット用トイレ１の清掃をする際は、前記篩１００を持ち上げてふるうことで、清浄な粒状物ＣＰを前記ふるい部１０１から前記第１容器１０へ落下させ、塊となった前記糞および糞に付着した粒状物ＤＰのみを取り出して廃棄可能である。
【００２８】
続いて、図４（ｃ）は前記第１容器１０に落下した清浄な粒状物ＣＰを前記篩１００に戻している状態を示す図である。
この時、前記ふるい部１０１に形成した前記通孔１０２は前記粒状物Ｐがふるった際に通過可能である程度に前記粒状物Ｐよりもやや幅広に形成されているため、瞬時には落下しづらい構造となっている。
【００２９】
尚、別の容器を用意して、前記第１容器１０に落下した前記清浄な粒状物ＣＰを一旦その別の容器に移し、前記篩１００を前記第１容器１０の上に被せて一体とした後に前記篩１００に前記清浄な粒状物Ｐを戻すものとすれば、前記通孔１０２から前記清浄な粒状物ＣＰが落下する心配がなく、空になった前記篩１００および前記第１容器１０の洗浄も容易となる（図示せず）。
【００３０】
最後に、図４（ｄ）は清掃後の状態を示す図である。
尚、符号４０は補充用の粒状物の入った容器であり、清掃により減った分の前記粒状物Ｐをこのとき補充する。前記粒状物Ｐを補充する際は、前記篩１００を前記第１容器１０の上に被せて一体とした後に前記粒状物Ｐを足すことで、前記通孔１０２から前記粒状物Ｐが落下する心配がない。
【００３１】
このように、前記篩１００を持ち上げてふるうだけの非常に簡単な手順で、前記ふるい部１０１上に敷き詰めた粒状物Ｐを清浄な粒状物ＣＰと前記ペットの糞が付着して塊になった粒状物ＤＰとに分別して廃棄することができる。
【００３２】
尚、前記第２容器２０は取手２２を引くことで前記ケース体３０から引き出し可能となっており、前記ペットの尿を吸収した前記吸水体Ｓを交換することで清掃する従来周知のものであり、詳細な説明は省略する。
【００３３】
また、ペット用トイレは上記のようなケース体や第２容器は無く、第１容器の下に吸水体を敷くものであってもよい。
【００３４】
図５は本考案であるペット用トイレに用いる篩の異なる実施の形態を示す斜視図である。
本実施の形態の篩２００は、ふるい部２０１に連続して溝部２０３が形成されており、清掃時に前記篩２００を持ち上げてふるった際、前記溝部２０３に前記ペットの糞および前記糞が付着した粒状物ＤＰが収容される、ことを特徴とする。
【００３５】
前記溝部２０３を設けた前記篩２００によれば、例えば飼い主がお年寄りなど繊細な清掃作業が困難な者であっても、前記溝部２０３を手前側に置き、前記篩２００を手前側に傾けてふるうだけで自動的に前記ペットの糞および前記糞に付着した前記粒状物ＤＰが、外部に落ちることなく前記溝部２０３に収容されるため、作業が確実で効率的となる（図６参照）。
【００３６】
図７は本考案であるペット用トイレに用いる篩の更に異なる実施の形態を示す斜視図である。
本実施の形態の篩３００は、溝部３０３に連続して、前記篩３００の縁３０４に袋３０６を取り付け可能な取付部３０５が形成されており、清掃時に前記篩３００を持ち上げてふるった後に傾けて、前記ペットの糞および前記糞に付着した前記粒状物ＤＰを前記取付部３０５に取り付けた袋３０６内に落下させる、ことを特徴とする。
【００３７】
前記取付部３０５を設けた前記篩３００によれば、予め取り付けた袋３０６内に前記ペットの糞および前記糞に付着した前記粒状物ＤＰを落下させることで、前記袋３０６を誰かに広げてもらうなどの補助を要することなく単独で清掃作業が可能であり、且つ非常に衛生的に作業することができる（図８参照）。
【００３８】
尚、前記篩３００において、前記溝部３０３を設けないものとしてもよい（図示せず）。
【００３９】
以上のように、本考案のペット用トイレに用いる篩によれば、深皿状容器であってふるい部を有しており、市販のペット用トイレに予め被せておくことにより、清掃時には粒状物の中からスコップなどでいちいち糞を探し出す必要が無く、前記篩を持ち上げてふるうだけで、前記ふるい部上に敷き詰めた粒状物を、清浄な粒状物とペットの糞および前記糞に付着した粒状物とに分別して廃棄することが可能となるため、ペット用トイレの清掃作業を容易かつ衛生的に行うことができる。
【００４０】
尚、本考案のペット用トイレに用いる篩は、猫用に限らず粒状物を用いるペット用トイレに使用できる。
【符号の説明】
【００４１】
１  ２層式のペット用トイレ、１０  第１容器、１１  便受け部、１２  通水孔、２０  第２容器、２１  尿受け部、２２  取手、３０  ケース体、４０  補充用の粒状物の入った容器、１００  篩、１０１  ふるい部、１０２  通孔、２００  篩、２０１  ふるい部、２０２  通孔、２０３  溝部、３００  篩、３０１  ふるい部、３０２  通孔、３０３  溝部、３０４  縁、３０５  取付部、３０６  袋、Ｐ  粒状物、ＣＰ  清浄な粒状物、ＤＰ  ペットの糞が付着して塊になった粒状物、Ｓ  吸水体
【図１】
0003224824.tif 000003
【図２】
0003224824.tif 000004
【図３】
0003224824.tif 000005
【図４】
0003224824.tif 000006
【図５】
0003224824.tif 000007
【図６】
0003224824.tif 000008
【図７】
0003224824.tif 000009
【図８】
0003224824.tif 000010
【図９】
0003224824.tif 000011
【図１０】
0003224824.tif 000012
【図１１】
0003224824.tif 000013